(57)【要約】  本発明は、１，１，２−トリフルオロエチレンおよび二酸化炭素、ならびに場合により追加の化合物を含有する組成物、ならびに特に従来の流体Ｒ−４１０Ａの代わりにするための冷媒としての、その使用に関する。【選択図】なし【特許請求の範囲】
【請求項１】
１，１，２−トリフルオロエチレンおよび二酸化炭素を含む組成物。
【請求項２】
アンモニアならびに任意選択でハロゲン化アルカンおよびアルケンから、好ましくはヒドロフルオロオレフィン、ヒドロクロロフルオロオレフィン、および飽和ヒドロフルオロカーボンから選択される、１種または複数の追加の化合物を含む、請求項１に記載の組成物。
【請求項３】
１，１，１，２−テトラフルオロエタン、ペンタフルオロエタン、ジフルオロメタン、２，３，３，３−テトラフルオロプロペン、１，３，３，３−テトラフルオロプロペン、アンモニア、１，１，１，２，３，３，３−ヘプタフルオロプロパン、プロパン、プロピレン、１，１，１−トリフルオロエタン、１−クロロ−３，３，３−トリフルオロプロペン、１，１，１，４，４，４−ヘキサフルオロブタ−２−エン、１，１，１，３，３−ペンタフルオロプロパン、１，１，２，２−テトラフルオロエタン、１，１−ジフルオロエタン、およびこれらの組合せから；好ましくは１，１，１，２−テトラフルオロエタン、ペンタフルオロエタン、ジフルオロメタン、２，３，３，３−テトラフルオロプロペン、１，３，３，３−テトラフルオロプロペン、およびこれらの組合せから選択される、１種または複数の追加の化合物を含む、請求項１または２に記載の組成物。
【請求項４】
−  １，１，２−トリフルオロエチレンおよび二酸化炭素；または
−  １，１，２−トリフルオロエチレン、二酸化炭素、および１，１，１，２−テトラフルオロエタン；または
−  １，１，２−トリフルオロエチレン、二酸化炭素、およびペンタフルオロエタン；または
−  １，１，２−トリフルオロエチレン、二酸化炭素、およびジフルオロメタン；または
−  １，１，２−トリフルオロエチレン、二酸化炭素、および２，３，３，３−テトラフルオロプロペン；または
−  １，１，２−トリフルオロエチレン、二酸化炭素、および１，３，３，３−テトラフルオロプロペン；または
−  １，１，２−トリフルオロエチレン、二酸化炭素、１，１，１，２−テトラフルオロエタン、およびペンタフルオロエタン；または
−  １，１，２−トリフルオロエチレン、二酸化炭素、１，１，１，２−テトラフルオロエタン、およびジフルオロメタン；または
−  １，１，２−トリフルオロエチレン、二酸化炭素、１，１，１，２−テトラフルオロエタン、および２，３，３，３−テトラフルオロプロペン；または
−  １，１，２−トリフルオロエチレン、二酸化炭素、１，１，１，２−テトラフルオロエタン、および１，３，３，３−テトラフルオロプロペン；または
−  １，１，２−トリフルオロエチレン、二酸化炭素、ペンタフルオロエタン、およびジフルオロメタン；または
−  １，１，２−トリフルオロエチレン、二酸化炭素、ペンタフルオロエタン、および２，３，３，３−テトラフルオロプロペン；または
−  １，１，２−トリフルオロエチレン、二酸化炭素、ペンタフルオロエタン、および１，３，３，３−テトラフルオロプロペン；または
−  １，１，２−トリフルオロエチレン、二酸化炭素、ジフルオロメタン、および２，３，３，３−テトラフルオロプロペン；または
−  １，１，２−トリフルオロエチレン、二酸化炭素、ジフルオロメタン、および１，３，３，３−テトラフルオロプロペン；または
−  １，１，２−トリフルオロエチレン、二酸化炭素、２，３，３，３−テトラフルオロプロペン、および１，３，３，３−テトラフルオロプロペン；または
−  １，１，２−トリフルオロエチレン、二酸化炭素、１，１，１，２−テトラフルオロエタン、ジフルオロメタン、およびペンタフルオロエタン；または
−  １，１，２−トリフルオロエチレン、二酸化炭素、１，１，１，２−テトラフルオロエタン、ジフルオロメタン、および２，３，３，３−テトラフルオロプロペン；または
−  １，１，２−トリフルオロエチレン、二酸化炭素、１，１，１，２−テトラフルオロエタン、ジフルオロメタン、および１，３，３，３−テトラフルオロプロペン；または
−  １，１，２−トリフルオロエチレン、二酸化炭素、１，１，１，２−テトラフルオロエタン、ペンタフルオロエタン、および２，３，３，３−テトラフルオロプロペン；または
−  １，１，２−トリフルオロエチレン、二酸化炭素、１，１，１，２−テトラフルオロエタン、ペンタフルオロエタン、および１，３，３，３−テトラフルオロプロペン；または
−  １，１，２−トリフルオロエチレン、二酸化炭素、１，１，１，２−テトラフルオロエタン、２，３，３，３−テトラフルオロプロペン、および１，３，３，３−テトラフルオロプロペン；または
−１，１，２−トリフルオロエチレン、二酸化炭素、１，１，１，２−テトラフルオロエタン、ジフルオロメタン、ペンタフルオロエタン、および２，３，３，３−テトラフルオロプロペン；または
−  １，１，２−トリフルオロエチレン、二酸化炭素、１，１，１，２−テトラフルオロエタン、ジフルオロメタン、ペンタフルオロエタン、および１，３，３，３−テトラフルオロプロペン；または
−  １，１，２−トリフルオロエチレン、二酸化炭素、１，１，１，２−テトラフルオロエタン、ジフルオロメタン、ペンタフルオロエタン、２，３，３，３−テトラフルオロプロペン、および１，３，３，３−テトラフルオロプロペンから本質的になる、請求項１から３のいずれか一項に記載の組成物。
【請求項５】
１，１，２−トリフルオロエチレンの割合が、５から８０重量％、好ましくは１０から７０重量％、より好ましくは１５から６０重量％である、請求項１から４のいずれか一項に記載の組成物。
【請求項６】
二酸化炭素と、適切な場合には１，１，１，２−テトラフルオロエタンのおよび／またはペンタフルオロエタンとの全割合が、少なくとも１５重量％、好ましくは少なくとも３０重量％、より好ましくは少なくとも３５重量％である、請求項１から５のいずれか一項に記載の組成物。
【請求項７】
−  １，１，２−トリフルオロエチレン４０から７０％、二酸化炭素５から３０％、およびペンタフルオロエタン５から３０％（重量による）；
−  １，１，２−トリフルオロエチレン５５から７０％、二酸化炭素５から３０％、および１，１，１，２−テトラフルオロエタン５から３５％（重量による）；
−  １，１，２−トリフルオロエチレン５から７０％、二酸化炭素５から３５％、およびジフルオロメタン５から６０％（重量による）；
−  １，１，２−トリフルオロエチレン５から５５％、二酸化炭素５から３５％、ペンタフルオロエタン５から２５％、およびジフルオロメタン５から６０％（重量による）；
−  １，１，２−トリフルオロエチレン５から６５％、二酸化炭素５から３０％、ペンタフルオロエタン５から３０％、１，１，１，２−テトラフルオロエタン５から１０％、およびジフルオロメタン５から６０％（重量による）
から本質的になる混合物から選択される、請求項１から６のいずれか一項に記載の組成物。
【請求項８】
不燃性である、請求項１から７のいずれか一項に記載の組成物。
【請求項９】
１０００以下の、好ましくは１５０以下のＧＷＰを有する、請求項１から８のいずれか一項に記載の組成物。
【請求項１０】
熱伝達流体としての、請求項１から９のいずれか一項に記載の組成物の使用。
【請求項１１】
Ｒ−４１０Ａの代わりにするための、好ましくは固定式空調における、請求項１０に記載の使用。
【請求項１２】
熱伝達流体としての請求項１から９のいずれか一項に記載の組成物と、１種または複数の添加剤とを含む、熱伝達組成物。
【請求項１３】
添加剤が、潤滑剤、ナノ粒子、安定剤、界面活性剤、追跡剤、蛍光剤、着臭剤、可溶化剤、およびこれらの組合せから選択される、請求項１２に記載の熱伝達組成物。
【請求項１４】
熱伝達流体として請求項１から９のいずれか一項に記載の組成物を含有するまたは請求項１２もしくは１３に記載の熱伝達組成物を含有する蒸気圧縮回路を含む、熱伝達装置。
【請求項１５】
ヒートポンプによる加熱、空調、特に自動車用空調または集中型固定式空調、冷蔵、冷凍、およびランキンサイクル用の、移動式または固定式装置から選択され、好ましくは空調装置である、請求項１４に記載の装置。
【請求項１６】
熱伝達流体を含有する蒸気圧縮回路を用いて流体または物体を加熱しまたは冷却するための方法であって、前記方法が、順に、熱伝達流体のエバポレーション、熱伝達流体の圧縮、熱流体の凝縮、および熱伝達流体の膨張を含み、熱伝達流体が、請求項１から９のいずれか一項に記載の組成物である、方法。
【請求項１７】
初期熱伝達流体を含有する蒸気圧縮回路を含む熱伝達装置の環境影響を低減させるための方法であって、前記方法が、蒸気圧縮回路内の初期熱伝達流体を、最終伝達流体に置き換えるステップを含み、最終伝達流体は、初期熱伝達流体よりも低いＧＷＰを有し、最終熱伝達流体は、請求項１から９のいずれか一項に記載の組成物である、方法。
【請求項１８】
初期熱伝達流体がＲ−４１０Ａである、請求項１７に記載の方法。
【発明の詳細な説明】
【技術分野】
【０００１】
本発明は、１，１，２−トリフルオロエチレン（ＨＦＯ−１１２３）および二酸化炭素（ＣＯ２）の組成物、ならびに熱伝達流体としての、特にＲ−４１０Ａの代わりにするための、その使用とに関する。
【背景技術】
【０００２】
Ｒ−４１０Ａは、ジフルオロメタン（ＨＦＣ−３２）５０重量％およびペンタフルオロエタン（ＨＦＣ−１２５）５０重量％からなる熱伝達流体である。−４８．５℃の低沸点、高エネルギー効率を有し、不燃性であり無毒性である。特に固定式空調に使用される。しかし、この熱伝達流体は高い地球温暖化係数（ＧＷＰ）を有する。したがってそれを置き換えることが望ましい。
【０００３】
文献ＵＳ  ２０１４／００７０１３２は、１，１，２−トリフルオロエチレン（ＨＦＯ−１１２３）を含む様々な熱伝達流体について記述する。
【０００４】
文献ＵＳ  ２０１６／０３４７９８１およびＵＳ  ２０１６／０３３３２４３は、特にＲ−４１０Ａの代わりにするための、ＨＦＯ−１１２３を含む様々な熱伝達流体について記述する。
【０００５】
特にＲ−４１０Ａなどの従来の熱伝達流体の代わりにするための、新しい熱伝達流体を設計することが求められている。
【０００６】
熱伝達に関して良好な熱力学的性質を有しかつ不粘性および無毒性であることが好ましい、オゾン層に無害な低ＧＷＰ熱伝達流体が、特に求められている。
【発明の概要】
【０００７】
本発明は、まず第一に、１，１，２−トリフルオロエチレンおよび二酸化炭素を含む組成物に関する。
【０００８】
実施形態において、組成物は、アンモニアならびに任意選択でハロゲン化アルカンおよびアルケンから、好ましくはヒドロフルオロオレフィン、ヒドロクロロフルオロオレフィン、および飽和ヒドロフルオロカーボンから選択される、１種または複数の追加の化合物を含む。
【０００９】
実施形態において、組成物は、１，１，１，２−テトラフルオロエタン、ペンタフルオロエタン、ジフルオロメタン、２，３，３，３−テトラフルオロプロペン、１，３，３，３−テトラフルオロプロペン、アンモニア、１，１，１，２，３，３，３−ヘプタフルオロプロパン、プロパン、プロピレン、１，１，１−トリフルオロエタン、１−クロロ−３，３，３−トリフルオロプロペン、１，１，１，４，４，４−ヘキサフルオロブタ−２−エン、１，１，１，３，３−ペンタフルオロプロパン、１，１，２，２−テトラフルオロエタン、１，１−ジフルオロエタン、およびこれらの組合せから；好ましくは１，１，１，２−テトラフルオロエタン、ペンタフルオロエタン、ジフルオロメタン、２，３，３，３−テトラフルオロプロペン、１，３，３，３−テトラフルオロプロペン、およびこれらの組合せから選択される、１種または複数の追加の化合物を含む。
【００１０】
実施形態において、組成物は：
−  １，１，２−トリフルオロエチレンおよび二酸化炭素；または
−  １，１，２−トリフルオロエチレン、二酸化炭素、および１，１，１，２−テトラフルオロエタン；または
−  １，１，２−トリフルオロエチレン、二酸化炭素、およびペンタフルオロエタン；または
−  １，１，２−トリフルオロエチレン、二酸化炭素、およびジフルオロメタン；または
−  １，１，２−トリフルオロエチレン、二酸化炭素、および２，３，３，３−テトラフルオロプロペン；または
−  １，１，２−トリフルオロエチレン、二酸化炭素、および１，３，３，３−テトラフルオロプロペン；または
−  １，１，２−トリフルオロエチレン、二酸化炭素、１，１，１，２−テトラフルオロエタン、およびペンタフルオロエタン；または
−  １，１，２−トリフルオロエチレン、二酸化炭素、１，１，１，２−テトラフルオロエタン、およびジフルオロメタン；または
−  １，１，２−トリフルオロエチレン、二酸化炭素、１，１，１，２−テトラフルオロエタン、および２，３，３，３−テトラフルオロプロペン；または
−  １，１，２−トリフルオロエチレン、二酸化炭素、１，１，１，２−テトラフルオロエタン、および１，３，３，３−テトラフルオロプロペン；または
−  １，１，２−トリフルオロエチレン、二酸化炭素、ペンタフルオロエタン、およびジフルオロメタン；または
−  １，１，２−トリフルオロエチレン、二酸化炭素、ペンタフルオロエタン、および２，３，３，３−テトラフルオロプロペン；または
−  １，１，２−トリフルオロエチレン、二酸化炭素、ペンタフルオロエタン、および１，３，３，３−テトラフルオロプロペン；または
−  １，１，２−トリフルオロエチレン、二酸化炭素、ジフルオロメタン、および２，３，３，３−テトラフルオロプロペン；または
−  １，１，２−トリフルオロエチレン、二酸化炭素、ジフルオロメタン、および１，３，３，３−テトラフルオロプロペン；または
−  １，１，２−トリフルオロエチレン、二酸化炭素、２，３，３，３−テトラフルオロプロペン、および１，３，３，３−テトラフルオロプロペン；または
−  １，１，２−トリフルオロエチレン、二酸化炭素、１，１，１，２−テトラフルオロエタン、ジフルオロメタン、およびペンタフルオロエタン；または
−  １，１，２−トリフルオロエチレン、二酸化炭素、１，１，１，２−テトラフルオロエタン、ジフルオロメタン、および２，３，３，３−テトラフルオロプロペン；または
−  １，１，２−トリフルオロエチレン、二酸化炭素、１，１，１，２−テトラフルオロエタン、ジフルオロメタン、および１，３，３，３−テトラフルオロプロペン；または
−  １，１，２−トリフルオロエチレン、二酸化炭素、１，１，１，２−テトラフルオロエタン、ペンタフルオロエタン、および２，３，３，３−テトラフルオロプロペン；または
−  １，１，２−トリフルオロエチレン、二酸化炭素、１，１，１，２−テトラフルオロエタン、ペンタフルオロエタン、および１，３，３，３−テトラフルオロプロペン；または
−  １，１，２−トリフルオロエチレン、二酸化炭素、１，１，１，２−テトラフルオロエタン、２，３，３，３−テトラフルオロプロペン、および１，３，３，３−テトラフルオロプロペン；または
−  １，１，２−トリフルオロエチレン、二酸化炭素、１，１，１，２−テトラフルオロエタン、ジフルオロメタン、ペンタフルオロエタン、および２，３，３，３−テトラフルオロプロペン；または
−  １，１，２−トリフルオロエチレン、二酸化炭素、１，１，１，２−テトラフルオロエタン、ジフルオロメタン、ペンタフルオロエタン、および１，３，３，３−テトラフルオロプロペン；または
−  １，１，２−トリフルオロエチレン、二酸化炭素、１，１，１，２−テトラフルオロエタン、ジフルオロメタン、ペンタフルオロエタン、２，３，３，３−テトラフルオロプロペン、および１，３，３，３−テトラフルオロプロペン
から本質的になる。
【００１１】
実施形態において、１，１，２−トリフルオロエチレンの割合は、５から８０重量％、好ましくは１０から７０重量％、より好ましくは１５から６０重量％である。
【００１２】
実施形態において、二酸化炭素と、適切な場合には１，１，２，２−テトラフルオロエタンおよび／またはペンタフルオロエタンとの全割合は、少なくとも１５重量％、好ましくは少なくとも３０重量％、より好ましくは少なくとも３５重量％である。
【００１３】
実施形態において、組成物は：
−  １，１，２−トリフルオロエチレン４０から７０％、二酸化炭素５から３０％、およびペンタフルオロエタン５から３０％（重量による）；
−  １，１，２−トリフルオロエチレン５５から７０％、二酸化炭素５から３０％、および１，１，１，２−テトラフルオロエタン５から３５％（重量による）；
−  １，１，２−トリフルオロエチレン５から７０％、二酸化炭素５から３５％、およびジフルオロメタン５から６０％（重量による）；
−  １，１，２−トリフルオロエチレン５から５５％、二酸化炭素５から３５％、ペンタフルオロエタン５から２５％、およびジフルオロメタン５から６０％（重量による）；
−  １，１，２−トリフルオロエチレン５から６５％、二酸化炭素５から３０％、ペンタフルオロエタン５から３０％、１，１，１，２−テトラフルオロエタン５から１０％、およびジフルオロメタン５から６０％（重量による）
から本質的になる混合物から選択される。
【００１４】
実施形態において、組成物は不燃性である。
【００１５】
実施形態において、組成物は、１０００以下、好ましくは１５０以下のＧＷＰを有する。
【００１６】
本発明は、熱伝達流体としての、上述の組成物の使用にも関する。
【００１７】
実施形態において、前記使用は、好ましくは固定式空調でＲ−４１０Ａの代わりにするための使用である。
【００１８】
本発明は、熱伝達流体としての上述の組成物と、１種または複数の添加剤とを含む、熱伝達組成物にも関する。
【００１９】
実施形態において、添加剤は、潤滑剤、ナノ粒子、安定剤、界面活性剤、追跡剤、蛍光剤、着臭剤、可溶化剤、およびこれらの組合せから選択される。
【００２０】
本発明は、熱伝達流体として上述の組成物を含有するまたは上述の熱伝達組成物を含有する、蒸気圧縮回路を含む、熱伝達装置にも関する。
【００２１】
実施形態において、装置は、ヒートポンプによる加熱、空調、特に自動車用空調または集中型固定式空調、冷蔵、冷凍、およびランキンサイクル用の、移動式または固定式装置から選択され、および好ましくは空調装置である。
【００２２】
本発明は、熱伝達流体を含有する蒸気圧縮回路を用いて流体または物体を加熱しまたは冷却するための方法であって、前記方法が順に、熱伝達流体のエバポレーション、熱伝達流体の圧縮、熱流体の凝縮、および熱伝達流体の膨張を含み、熱伝達流体が上述の組成物である、方法にも関する。
【００２３】
本発明は、初期熱伝達流体を含有する蒸気圧縮回路を含む熱伝達装置の、環境影響の方法であって、前記方法が、蒸気圧縮回路で初期熱伝達流体を最終伝達流体に代える工程を含み、最終伝達流体が初期熱伝達流体よりも低いＧＷＰを有し、最終熱伝達流体が上述の組成物である、方法にも関する。
【００２４】
いくつかの実施形態において、初期熱伝達流体はＲ−４１０Ａである。
【００２５】
本発明は、先行技術で表されるニーズを満たす。より詳細には、従来の熱伝達流体、主にＲ−４１０Ａの代わりにするのに非常に適切な、新しい熱伝達流体を提供する。
【００２６】
特に本発明は、オゾン層に無害（即ち、低いまたはゼロのオゾン破壊係数、またはＯＤＰを持つ）な熱伝達流体であって、低ＧＷＰを有し、熱伝達に関して良好な熱力学的性質を示し、好ましくは不燃性であり無毒性である熱伝達流体を提供する。
【００２７】
これはＨＦＯ−１１２３とＣＯ２（またはＲ−７４４）とを、任意選択で１種または複数の他の熱伝達化合物とを組み合わせることによって達成される。
【発明を実施するための形態】
【００２８】
次に本発明について、以下の記述においてさらに詳細にかつ非限定的に記述する。
【００２９】
他に指示しない限り、本出願の全体を通して指示された化合物の割合は、重量パーセンテージとして示す。
【００３０】
本出願によれば、地球温暖化係数（ＧＷＰ）は、「Ｔｈｅ  ｓｃｉｅｎｔｉｆｉｃ  ａｓｓｅｓｓｍｅｎｔ  ｏｆ  ｏｚｏｎｅ  ｄｅｐｌｅｔｉｏｎ，２００２，ａ  ｒｅｐｏｒｔ  ｏｆ  ｔｈｅ  Ｗｏｒｌｄ  Ｍｅｔｅｏｒｏｌｏｇｉｃａｌ  Ａｓｓｏｃｉａｔｉｏｎ’ｓ  Ｇｌｏｂａｌ  Ｏｚｏｎｅ  Ｒｅｓｅａｒｃｈ  ａｎｄ  Ｍｏｎｉｔｏｒｉｎｇ  Ｐｒｏｊｅｃｔ」に示される方法に従って、二酸化炭素に対しておよび１００年の期間に対して定義される。
【００３１】
「熱伝達化合物」またはそれぞれ「熱伝達流体」（または冷媒）という用語は、化合物、またはそれぞれ流体を指し、蒸気圧縮回路で、低温および低圧でエバポレートすることにより熱を吸収することならびに高温および高圧で凝縮することにより熱を放出することが可能なものである。一般に、熱伝達流体は、ただ１種、２種、３種、または３種よりも多くの熱伝達化合物を含み得る。
【００３２】
「熱伝達組成物」という用語は、熱伝達流体、および任意選択で、考えられる適用例で熱伝達化合物ではない１種または複数の添加剤を含む、組成物を指す。
【００３３】
熱伝達組成物製剤の概要説明
本発明の熱伝達組成物では、熱伝達流体の重量による割合は、特に、組成物の１から５％；または組成物の５から１０％；または組成物の１０から１５％；または組成物の１５から２０％；または組成物の２０から２５％；または組成物の２５から３０％；または組成物の３０から３５％；または組成物の３５から４０％；または組成物の４０から４５％；または組成物の４５から５０％；または組成物の５０から５５％；または組成物の５５から６０％；または組成物の６０から６５％；または組成物の６５から７０％；または組成物の７０から７５％；または組成物の７５から８０％；または組成物の８０から８５％；または組成物の８５から９０％；または組成物の９０から９５％；または組成物の９５から９９％であってもよい。
【００３４】
本発明の記述において、可能な範囲の数が考えられるとき、その組合せから得られる範囲も包含され：例えば、熱伝達組成物中の熱伝達流体の、重量による割合は、５０から５５％および５５から６０％、即ち、５０から６０％などである。
【００３５】
好ましくは、本発明の熱伝達組成物は、熱伝達流体を少なくとも５０重量％、特に５０％から９５重量％含む。
【００３６】
熱伝達組成物において、潤滑剤（複数可）の重量による割合は、特に、組成物の１から５％；または組成物の５から１０％；または組成物の１０から１５％；または組成物の１５から２０％；または組成物の２０から２５％；または組成物の２５から３０％；または組成物の３０から３５％；または組成物の３５から４０％；または組成物の４０から４５％；または組成物の４５から５０％；または組成物の５０から５５％；または組成物の５５から６０％；または組成物の６０から６５％；または組成物の６５から７０％；または組成物の７０から７５％；または組成物の７５から８０％；または組成物の８０から８５％；または組成物の８５から９０％；または組成物の９０から９５％；または組成物の９５から９９％であってもよい。
【００３７】
潤滑剤（複数可）以外の添加剤は、重量による割合で、各熱伝達組成物中の、好ましくは０から３０％、より好ましくは０から２０％、より好ましくは０から１０％、より好ましくは０から５％、およびより好ましくは０から２％である
【００３８】
添加剤の概要説明
本発明の熱伝達組成物中に存在し得る添加剤は、特に、潤滑剤、ナノ粒子、安定剤、界面活性剤、追跡剤、蛍光剤、着臭剤、および可溶化剤から選択されてもよい。
【００３９】
潤滑剤として、特に、鉱物由来の油、シリコーン油、天然由来のパラフィン、ナフテン、合成パラフィン、アルキルベンゼン、ポリ−アルファ−オレフィン、ポリアルケングリコール、ポリオールエステル、および／またはポリビニルエーテルが使用され得る。ポリアルケングリコールおよびポリオールエステルが、好ましい。
【００４０】
安定剤（複数可）は、存在する場合、熱伝達組成物中で好ましくは最大５重量％である。安定剤の中でも、ニトロメタン、アスコルビン酸、テレフタル酸、アゾール、例えばトルトリアゾールまたはベンゾトリアゾール、フェノール化合物、例えばトコフェロール、ヒドロキノン、（ｔ−ブチル）ヒドロキノンまたは２，６−ジ（ｔｅｒｔ−ブチル）−４−メチルフェノール、エポキシド（任意選択でフッ素化もしくは過フッ素化されるアルキル、またはアルケニルもしくは芳香族）、例えばｎ−ブチルグリシジルエーテル、ヘキサンジオールジグリシジルエーテル、アリルグリシジルエーテルまたはブチルフェニルグリシジルエーテル、ホスファイト、ホスホネート、チオール、およびラクトンを、特に挙げることができる。
【００４１】
プロペン、ブテン、ペンテン、およびヘキセンは、安定剤として使用することもできる。ブテンおよびペンテンが好ましい。ペンテンは、さらにより特別に好ましい。これらの安定剤は、直鎖または分岐鎖安定剤とすることができ、好ましくは分岐鎖安定剤とすることができる。好ましくは、それらは１００℃以下、より好ましくは７５℃以下、より特に好ましくは５０℃以下の沸点を有する。「沸点」という用語は、２００８年４月の規格ＮＦ  ＥＮ  ３７８−１に従い決定されるように、１０１．３２５ｋＰａの圧力での沸点を意味することが理解される。それらは０℃以下、好ましくは−２５℃以下、より特に好ましくは−５０℃以下の凝固温度を有することも好ましい。
【００４２】
凝固温度は、試験番号１０２：  Ｔｈｅ  ｔｅｒｍ「ｍｅｌｔｉｎｇ  ｐｏｉｎｔ／ｍｅｌｔｉｎｇ  ｒａｎｇｅ」（ＯＥＣＤ  ｇｕｉｄｅｌｉｎｅｓ  ｆｏｒ  ｔｈｅ  ｔｅｓｔｉｎｇ  ｏｆ  ｃｈｅｍｉｃａｌｓ（化学試験のためのＯＥＣＤガイドライン）、Ｓｅｃｔｉｏｎ  １、ＯＥＣＤ発行、パリ、１９９５、２０、  ウェブアドレス  ｈｔｔｐ：／／ｄｘ．ｄｏｉ．ｏｒｇ／１０．１７８７／９７８９２６４０６９５３４−ｆｒで入手可能）に従い決定される。
【００４３】
特定の安定化化合物は、特に１−ブテン、ｃｉｓ−２−ブテン；ｔｒａｎｓ−２−ブテン；２−メチル−１−プロペン；１−ペンテン；ｃｉｓ−２−ペンテン；ｔｒａｎｓ−２−ペンテン；２−メチル−１−ブテン；２−メチル−２−ブテン；および３−メチル−１−ブテンである。好ましい化合物の中には、特に、処方の（約３９℃の沸点）２−メチル−２−ブテン、および３−メチル−１−ブテン（約２５℃の沸点）がある。
【００４４】
使用され得るナノ粒子には、特に、カーボンナノ粒子、金属（銅、アルミニウム）酸化物、ＴｉＯ２、Ａｌ２Ｏ３、ＭｏＳ２などが含まれる。
【００４５】
追跡剤（検出されることが可能）として、重水素化または非重水素化ヒドロフルオロカーボン、重水素亜化炭化水素、ペルフルオロカーボン、フルオロエーテル、臭素化化合物、ヨウ素化化合物、アルコール、アルデヒド、ケトン、亜酸化窒素、およびこれらの組合せを挙げてもよい。追跡剤は、熱伝達流体を構成する化合物とは異なる。
【００４６】
可溶化剤として、炭化水素、ジメチルエーテル、ポリオキシアルキレンエーテル、アミド、ケトン、ニトリル、クロロカーボン、エステル、ラクトン、アリールエーテル、フルオロエーテル、および１，１，１−トリフルオロアルカンを挙げてもよい。可溶化剤は、熱伝達流体を構成する１種または複数の熱伝達化合物とは異なる。
【００４７】
蛍光剤として、ナフタリミド、ペリーレン、クマリン、アントラセン、フェナントラセン、キサンテン、チオキサンテン、ナフトキサンテン、フルオレセイン、ならびにこれらの誘導体および組合せを挙げることができる。
【００４８】
着臭剤として、アルキルアクリレート、アリルアクリレート、アクリル酸、アクリルエステル、アルキルエーテル、アルキルエステル、アルキン、アルデヒド、チオール、チオエーテル、ジスルフィド、アリルイソチオシアネート、アルカン酸、アミン、ノルボルネン、ノルボルネン誘導体、シクロヘキセン、芳香族複素環式化合物、アスカリドール、ｏ−メトキシ（メチル）フェノール、およびこれらの組合せを挙げることができる。
【００４９】
熱伝達プロセスの概要説明
本発明の熱伝達プロセスは、熱伝達装置で実施される。熱伝達装置は、好ましくは、蒸気圧縮システムを含む。システムは、熱伝達をもたらす熱伝達組成物（熱伝達流体を含む）を含有する。
【００５０】
熱伝達プロセスは、流体または物体を加熱しまたは冷却するためのプロセスであってもよい。
【００５１】
一部の実施形態では、蒸気圧縮システムは：
−  空調システム；または
−  冷蔵システム；または
−  冷凍システム；または
−  ヒートポンプシステム
である。
【００５２】
装置は、移動式であっても固定式であってもよい。
【００５３】
したがって熱伝達プロセスは、固定式空調プロセス（住居でのまたは工業的もしくは商業的施設での）または移動式空調プロセス、特に自動車空調プロセス、固定式冷蔵もしくは移動式冷蔵プロセス（例えば、冷蔵輸送）、または固定式冷凍もしくは深冷凍結プロセス、または移動式冷凍もしくは深冷凍結プロセス（例えば、冷蔵輸送）、または固定式加熱プロセスもしくは移動式加熱プロセス（例えば、自動車）であってもよい。
【００５４】
熱伝達プロセスは、有利には、周期的に実施される下記の工程：
−  エバポレーターで冷媒をエバポレートする工程；
−  圧縮機で冷媒を圧縮する工程；
−  コンデンサーで冷媒を凝集する工程；および
−  膨張モジュールで冷媒を膨張させる工程
を含む。
【００５５】
冷媒は、液相からまたは２相の液体／蒸気相からエバポレートしてもよい。
【００５６】
圧縮器は、気密式、半気密式、または開放式であってもよい。気密式圧縮器は、モーター部分および圧縮部分を含み、これらは解体できない気密式エンクロージャー内に収容される。半気密式圧縮器は、互いに直接組み合わされるモーター部分および圧縮部分を含む。モーター部分と圧縮部分との間の連結は、解体により２つの部分を取り外すことによって、アクセス可能である。開放式圧縮器は、別々のモーター部分および圧縮部分を含む。それらは、ベルト駆動によってまたは直接連結によって動作され得る。
【００５７】
使用される圧縮器は、特に動的圧縮器であってもよく、または容積式圧縮器であってもよい。
【００５８】
動的圧縮器は、軸流圧縮器および遠心圧縮器を含み、これらは１つまたは複数のステージを有していてもよい。遠心小型圧縮器が用いられてもよい。
【００５９】
容積式圧縮器は、回転式圧縮器および往復動圧縮器を含む。
【００６０】
往復動圧縮器は、ダイアフラム圧縮器およびピストン圧縮器を含む。
【００６１】
回転式圧縮器は、スクリュー圧縮器、ローブ圧縮器、スクロール（または螺旋）圧縮器、液体リング圧縮器、およびブレード圧縮器を含む。スクリュー圧縮器は、好ましくは、二軸スクリューまたは単軸スクリューであってもよい。
【００６２】
使用される装置において、圧縮器は、電気モーターによってまたはガスタービンによって（例えば、自動車の適用例に関しては車両の排ガスにより供給される）またはギアリングによって駆動されてもよい。
【００６３】
エバポレーターおよびコンデンサーは熱交換器である。本発明では任意のタイプの熱交換器が使用されてもよく、特に並流熱交換器または向流熱交換器が使用されてもよい。
【００６４】
「向流熱交換器」という用語は、第１の流体と第２の流体との間で熱が交換される熱交換器を指し、交換器の入口の第１の流体は交換器の出口で第２の流体と熱を交換し、交換器の出口の第１の流体は、交換器の入口で第２の流体と熱を交換する。
【００６５】
例えば、向流熱交換器は、第１の流体の流れおよび第２の流体の流れが反対方向にまたは事実上反対方向にあるデバイスを含む。向流傾向による交流モードで動作する交換器も、向流熱交換器の中に含まれる。
【００６６】
装置は、任意選択で、熱を伝達する（状態の変化を伴ってまたはその変化なしで）のに使用される少なくとも１つの熱伝達流体回路も、熱伝達組成物回路と、加熱されまたは冷却される流体または物体との間に含でいてもよい。
【００６７】
装置は、任意選択で、同一のまたは全く別の熱伝達組成物を含有する２つ（またはそれよりも多く）の蒸気圧縮回路を含んでいてもよい。例えば、蒸気圧縮回路は互いに連結されてもよい。この場合、これらの回路の少なくとも１つは、本発明による熱伝達流体を含有し、その他は場合により、適切な場合には別の熱伝達流体を含有する。
【００６８】
一部の実施形態では、冷媒は、エバポレーションと圧縮との間で過熱され、即ちエバポレーションと圧縮との間でエバポレーション終了温度よりも高い温度にされる。
【００６９】
「エバポレーション開始温度」という用語は、エバポレーターの入口での冷媒の温度を指す。
【００７０】
「エバポレーション終了温度」という用語は、液体形態をとる冷媒の最後の液滴のエバポレーションでの温度（飽和蒸気温度または露点温度）を指す。
【００７１】
冷媒が共沸混合物である場合、エバポレーション開始温度はエバポレーション終了温度に等しい。非共沸混合物の場合、エバポレーターでの温度勾配は、エバポレーション終了温度とエバポレーション開始温度との差と定義される。
【００７２】
本発明による熱伝達プロセスは、好ましくは１０℃以下、または８℃以下、または６℃以下、または５℃以下、または４℃以下、または３℃以下、または２℃以下、または１℃以下の温度勾配で実施される。
【００７３】
「平均エバポレーション温度」という用語は、エバポレーション開始温度とエバポレーション終了温度と間の算術平均を指す。
【００７４】
「過熱」（本明細書では、「エバポレーターでの過熱」に等しい）という用語は、圧縮前の冷媒によって得られる最高温度（即ち、過熱工程の終わりに冷媒によって得られる最高温度）と、エバポレーション終了温度との間の温度差を示す。この最高温度は、一般に、圧縮器の入口の冷媒の温度である。これはエバポレーターの出口での、冷媒の温度に該当し得る。あるいは冷媒は、エバポレーターと圧縮器との間で少なくとも部分的に過熱され得る（例えば、内部交換器を用いて）。過熱は、装置のパラメーターの適切な調整によって、特に膨張モジュールの調整によって、調節されてもよい。
【００７５】
本発明の方法では、好ましくは過熱が適用される。過熱は、特に、１から２℃；または２から３℃；または３から４℃；または４から５℃；または５から７℃；または７から１０℃；または１０から１５℃；または１５から２０℃；または２０から２５℃；または２５から３０℃；または３０から５０℃に等しくすることができる。
【００７６】
膨張モジュールは、恒温式であり、１つもしくは複数のオリフィスを有する恒温式膨張器もしくは電子部品と呼ばれる弁、または圧力を調整する恒圧式膨張器である弁であってもよい。流体の膨張が管内の圧力降下によって得られる、毛細管であってもよい。膨張モジュールは、機械的作用（電気に変換することができる）を生成するためのタービン、または圧縮器に直接または間接的に連結されるタービンであってもよい。
【００７７】
平均凝縮温度は、凝縮開始温度（冷媒の第１の液滴の出現時の、コンデンサー内の冷媒の温度であり、飽和蒸気温度または露点と呼ばれる）と凝縮終了温度（気体形態をとる冷媒の最後の泡の凝縮時の冷媒の温度であり、飽和液体温度または泡立ち点と呼ばれる）との間の算術平均と定義される。
【００７８】
「亜冷却」という用語は、膨張前の冷媒によって得られる最低温度と凝縮終了温度との間の、可能性ある温度差（絶対値として）を示す。この最低温度は一般に、膨張モジュールの入口の冷媒の温度に該当する。これはコンデンサーの出口での冷媒の温度に該当し得る。あるいは冷媒は、コンデンサーと膨張モジュールとの間で、少なくとも部分的に亜冷却されてもよい（例えば、内部交換器を用いて）。
【００７９】
好ましくは、本発明の方法では亜冷却（厳密には０℃よりも高い）が適用され、好ましくは１から４０℃の亜冷却、１から３０℃の亜冷却、１から１５℃の亜冷却、より好ましくは２から１２℃の亜冷却、より好ましくは５から１０℃の亜冷却が適用される。
【００８０】
本発明は、平均エバポレーション温度が１０℃以下；または５℃以下；または０℃以下；または−５℃以下；または−１０℃以下である場合が特に有用である。
【００８１】
したがって本発明は、低温冷蔵プロセスまたは中温冷却プロセス、または中温加熱プロセスの実施に、特に有用である。
【００８２】
「低温冷蔵」プロセスでは、平均エバポレーション温度が好ましくは−４５℃から−１５℃、特に−４０℃から−２０℃、さらに特に好ましくは−３５℃から−２５℃、例えば−３０℃付近であり；平均凝縮温度は、好ましくは２５℃から８０℃、特に３０℃から６０℃、さらに特に好ましくは３５℃から５５℃、例えば４０℃付近である。これらのプロセスは、特に、冷凍および深冷凍結プロセスを含む。
【００８３】
「中温冷却」プロセスでは、平均エバポレーション温度が好ましくは−２０℃から１０℃、特に−１５℃から５℃、さらに特に好ましくは−１０℃から０℃、例えば−５℃付近であり；平均凝縮温度は、好ましくは２５℃から８０℃、特に３０℃から６０℃、さらに特に好ましくは３５℃から５５℃、例えば５０℃付近である。これらのプロセスは、特に、冷蔵または空調プロセスであってもよい。
【００８４】
「中温加熱」プロセスでは、平均エバポレーション温度は、好ましくは−２０℃から１０℃、特に−１５℃から５℃、さらに特に好ましくは−１０℃から０℃、例えば−５℃付近であり；平均凝縮温度は、好ましくは２５℃から８０℃、特に３０℃から６０℃、さらに特に好ましくは３５℃から５５℃、例えば５０℃付近である。
【００８５】
ある特定の実施形態では、熱伝達装置は、初期熱伝達流体（特に、Ｒ−４１０Ａであってもよい）と呼ばれる別の熱伝達流体と動作させるために当初は設計された。
【００８６】
ある特定の実施形態では、本発明の熱伝達流体は、置換熱伝達流体と称されるものであり、即ち、初期熱伝達流体（特に、Ｒ−４１０Ａであってもよい）と呼ばれる別の熱伝達流体で熱伝達プロセスを実施するのにこれまで使用されてきた熱伝達装置で使用されるものである。
【００８７】
２つの先行するパラグラフは、置換の前提に相当する。
【００８８】
一部の実施形態では、本発明の方法は、順に：
−  初期熱伝達流体による実施；
−  初期熱伝達流体を、置換熱伝達流体に置き換える（本発明による）；および
−  置換熱伝達流体による実施
を含む。
【００８９】
他の実施形態では、装置は、初期熱伝達流体で操作するためにその当初の設計に基づいてそれが適切であるにも関わらず初期熱伝達流体により実施されることなく、置換熱伝達流体により直接実施される。
【００９０】
この仮定は、拡大解釈すれば、本発明の意味における「置換」の場合とも見なされる。
【００９１】
置換は、初期熱伝達流体が、置換熱伝達流体の場合よりも高いＧＷＰを有する場合に、特に有益である。
【００９２】
Ｒ−４１０Ａに加えて、本発明は、特にＲ２２の置換にも適用される。
【００９３】
本発明の熱伝達流体
本発明の熱伝達流体は、ＨＦＯ−１１２３およびＣＯ２を含む。
【００９４】
このように、熱伝達流体は、重量で：ＨＦＯ−１１２３を１から５％；またはＨＦＯ−１１２３を５から１０％；またはＨＦＯ−１１２３を１０から１５％；またはＨＦＯ−１１２３を１５から２０％；またはＨＦＯ−１１２３を２０から２５％；またはＨＦＯ−１１２３を２５から３０％；またはＨＦＯ−１１２３を３０から３５％；またはＨＦＯ−１１２３を３５から４０％；またはＨＦＯ−１１２３を４０から４５％；またはＨＦＯ−１１２３を４５から５０％；またはＨＦＯ−１１２３を５０から５５％；またはＨＦＯ−１１２３を５５から６０％；またはＨＦＯ−１１２３を６０から６５％；またはＨＦＯ−１１２３を６５から７０％；またはＨＦＯ−１１２３を７０から７５％；またはＨＦＯ−１１２３を７５から８０％；またはＨＦＯ−１１２３を８０から８５％；またはＨＦＯ−１１２３を８５から９０％；またはＨＦＯ−１１２３を９０から９５％；またはＨＦＯ−１１２３を９５から９９％含んでいてもよい。一部の実施形態では、この化合物が、十分な含有率の他の非爆発性化合物と混合されない場合に爆発性を示す傾向に鑑み、ＨＦＯ−１１２３の含有率は高過ぎないことが好ましい。
【００９５】
熱伝達流体は、重量で：ＣＯ２を１から５％；またはＣＯ２を５から１０％；またはＣＯ２を１０から１５％；またはＣＯ２を１５から２０％；またはＣＯ２を２０から２５％；またはＣＯ２を２５から３０％；またはＣＯ２を３０から３５％；またはＣＯ２を３５から４０％；またはＣＯ２を４０から４５％；またはＣＯ２を４５から５０％；またはＣＯ２を５０から５５％；またはＣＯ２を５５から６０％；またはＣＯ２を６０から６５％；またはＣＯ２を６５から７０％；またはＣＯ２を７０から７５％；またはＣＯ２を７５から８０％；またはＣＯ２を８０から８５％；またはＣＯ２を８５から９０％；またはＣＯ２を９０から９５％；またはＣＯ２を９５から９９％含むことができる。
【００９６】
熱伝達流体は、任意選択で、ＨＦＯ−１１２３およびＣＯ２に加えて１種または複数の他の熱伝達化合物を含んでいてもよい。
【００９７】
したがって熱伝達流体は：
−  二元組成物（不純物以外、ＨＦＯ−１１２３およびＣＯ２からなりまたはこれらから本質的になる）；
−  三元組成物（不純物以外、３種の熱伝達化合物からなりまたはこれらから本質的になる）；
−  四元組成物（不純物以外、４種の熱伝達化合物からなりまたはこれらから本質的になる）；
−  五元組成物（不純物以外、５種の熱伝達化合物からなりまたはこれらから本質的になる）；
−  六元組成物（不純物以外、６種の熱伝達化合物からなりまたはこれらから本質的になる）；または
−  七元組成物（不純物以外、７種の熱伝達化合物からなりまたはこれらから本質的になる）
とすることができる。
【００９８】
化合物が、立体異性体（特に、ｃｉｓ／ｔｒａｎｓまたはＺ／Ｅ）の形で存在する場合、慣例により、２種の立体異性体の混合物は、上記分類の目的で単一化合物としてカウントされる。
【００９９】
ＨＦＯ−１１２３およびＣＯ２に加えて組成物中に存在し得る熱伝達化合物は、特に：
−  アンモニア；
−  アルカン、特にプロパン；
−  アルケン、特にプロピレン；
−  ヒドロフルオロオレフィン、特に２，３，３，３−テトラフルオロプロペン（ＨＦＯ−１２３４ｙｆ）、１，３，３，３−テトラフルオロプロペン（ＨＦＯ−１２３４ｚｅ）、および１，１，１，４，４，４−ヘキサフルオロブタ−２−エン（ＨＦＯ−１３３６ｍｚｚ）；「ＨＦＯ−１２３４ｚｅ」という用語は、化合物のＺ型もしくはＥ型のいずれか、または２つの型の混合物を示し、好ましくはＥ型、またはＥ型を少なくとも９０重量％、またはＥ型を少なくとも９５重量％、またはＥ型を少なくとも９９重量％含有する混合物を示すことが理解され；「ＨＦＯ−１３３６ｍｚｚ」という用語は、化合物のＺ型もしくはＥ型のいずれか、または２つの型の混合物を示すことが理解され；
−  ヒドロクロロフルオロオレフィン、特に１−クロロ−３，３，３−テトラフルオロプロペン（ＨＣＦＯ−１２３３ｚｄ）；「ＨＦＯ−１２３３ｚｄ」という用語は、化合物のＺ型もしくはＥ型のいずれか、または２つの型の混合物を示し、好ましくはＥ型、またはＥ型を少なくとも９０重量％、またはＥ型を少なくとも９５重量％、またはＥ型を少なくとも９９重量％含有する混合物を示すことが理解され；
−  飽和ヒドロフルオロカーボン、特に：
○  １，１，１，２−テトラフルオロエタン（ＨＦＣ−１３４ａ）；
○  ペンタフルオロエタン（ＨＦＣ−１２５）；
○  ジフルオロメタン（ＨＦＣ−３２）；
○  １，１，１，２，３，３，３−ヘプタフルオロプロパン（ＨＦＣ−２２７ｅａ）；
○  １，１，１−トリフルオロエタン（Ｒ−１４３ａ）；
○  １，１，１，３，３−ペンタフルオロプロパン（ＨＦＣ−２４５ｆａ）；
○  １，１，２，２−テトラフルオロエタン（ＨＦＣ−１３４）；
○  １，１−ジフルオロエタン（ＨＦＣ−１５２ａ）
から選択されてもよい。
【０１００】
ＨＦＯ−１２３４ｙｆ、ＨＦＯ−１２３４ｚｅ、ＨＦＣ−１３４ａ、ＨＦＣ−１２５、およびＨＦＣ−３２が、さらに特に好ましい。
【０１０１】
ＨＦＣ−１３４ａ、ＨＦＣ−１２５、およびＨＦＣ−３２が、特に最も好ましい。
【０１０２】
一部の実施形態では、ＨＦＯ−１１２３およびＣＯ２に加えて熱伝達流体は：
−  ＨＦＣ−１３４ａ、ならびに任意選択で、上記化合物から選択される、およびＨＦＯ−１２３４ｙｆ、ＨＦＯ−１２３４ｚｅ、ＨＦＣ−１２５、およびＨＦＣ−３２から好ましくは選択される、１種または複数の他の化合物；または
−  ＨＦＣ−３２、ならびに任意選択で、上記化合物から選択される、およびＨＦＯ−１２３４ｙｆ、ＨＦＯ−１２３４ｚｅ、ＨＦＣ−１２５、およびＨＦＣ−１３４ａから好ましくは選択される、１種または複数の他の化合物；または
−  ＨＦＣ−１２５、ならびに任意選択で、上記化合物から選択される、およびＨＦＯ−１２３４ｙｆ、ＨＦＯ−１２３４ｚｅ、ＨＦＣ−３２、およびＨＦＣ−１３４ａから好ましくは選択される、１種または複数の他の化合物；または
−  ＨＦＯ−１２３４ｙｆ、ならびに任意選択で、上記化合物から選択される、およびＨＦＯ−１２３４ｚｅ、ＨＦＯ−３２、ＨＦＣ−１２５、およびＨＦＣ−１３４ａから好ましくは選択される、１種または複数の他の化合物；または
−  ＨＦＯ−１２３４ｚｅ、ならびに任意選択で、上記化合物から選択される、およびＨＦＯ−１２３４ｙｆ、ＨＦＯ−３２、ＨＦＣ−１２５、およびＨＦＣ−１３４ａから好ましくは選択される、１種または複数の他の化合物
を含む。
【０１０３】
一部の実施形態では、熱伝達流体は：
−  ＨＦＯ−１１２３、ＣＯ２、およびＨＦＣ−１３４ａの三元組成物；または
−  ＨＦＯ−１１２３、ＣＯ２、およびＨＦＣ−３２の三元組成物；または
−  ＨＦＯ−１１２３、ＣＯ２、およびＨＦＣ−１２５の三元組成物；または
−  ＨＦＯ−１１２３、ＣＯ２、およびＨＦＯ−１２３４ｙｆの三元組成物；または
−  ＨＦＯ−１１２３、ＣＯ２、およびＨＦＯ−１２３４ｚｅの三元組成物；または
−  ＨＦＯ−１１２３、ＣＯ２、ＨＦＣ−１３４ａ、およびＨＦＣ−３２の四元組成物；または
−  ＨＦＯ−１１２３、ＣＯ２、ＨＦＣ−１３４ａ、およびＨＦＣ−１２５の四元組成物；または
−  ＨＦＯ−１１２３、ＣＯ２、ＨＦＣ−１３４ａ、およびＨＦＯ−１２３４ｙｆの四元組成物；または
−  ＨＦＯ−１１２３、ＣＯ２、ＨＦＣ−１３４ａ、およびＨＦＯ−１２３４ｚｅの四元組成物；または
−  ＨＦＯ−１１２３、ＣＯ２、ＨＦＣ−１２５、およびＨＦＣ−３２の四元組成物；または
−  ＨＦＯ−１１２３、ＣＯ２、ＨＦＣ−１２５、およびＨＦＯ−１２３４ｙｆの四元組成物；または
−  ＨＦＯ−１１２３、ＣＯ２、ＨＦＣ−１２５、およびＨＦＯ−１２３４ｚｅの四元組成物；または
−  ＨＦＯ−１１２３、ＣＯ２、ＨＦＣ−３２、およびＨＦＯ−１２３４ｙｆの四元組成物；または
−  ＨＦＯ−１１２３、ＣＯ２、ＨＦＣ−３２、およびＨＦＯ−１２３４ｚｅの四元組成物；または
−  ＨＦＯ−１１２３、ＣＯ２、ＨＦＯ−１２３４ｙｆ、およびＨＦＯ−１２３４ｚｅの四元組成物；または
−  ＨＦＯ−１１２３、ＣＯ２、ＨＦＣ−１３４ａ、ＨＦＣ−３２、およびＨＦＣ−１２５の五元組成物；または
−  ＨＦＯ−１１２３、ＣＯ２、ＨＦＣ−１３４ａ、ＨＦＣ−３２、およびＨＦＯ−１２３４ｙｆの五元組成物；または
−  ＨＦＯ−１１２３、ＣＯ２、ＨＦＣ−１３４ａ、ＨＦＣ−３２、およびＨＦＯ−１２３４ｚｅの五元組成物；または
−  ＨＦＯ−１１２３、ＣＯ２、ＨＦＣ−１３４ａ、ＨＦＣ−１２５、およびＨＦＯ−１２３４ｙｆの五元組成物；または
−  ＨＦＯ−１１２３、ＣＯ２、ＨＦＣ−１３４ａ、ＨＦＣ−１２５、およびＨＦＯ−１２３４ｚｅの五元組成物；または
−  ＨＦＯ−１１２３、ＣＯ２、ＨＦＣ−１３４ａ、ＨＦＯ−１２３４ｙｆ、およびＨＦＯ−１２３４ｚｅの五元組成物；または
−  ＨＦＯ−１１２３、ＣＯ２、ＨＦＣ−１３４ａ、ＨＦＣ−３２、ＨＦＣ−１２５、およびＨＦＯ−１２３４ｙｆの六元組成物；または
−  ＨＦＯ−１１２３、ＣＯ２、ＨＦＣ−１３４ａ、ＨＦＣ−３２、ＨＦＣ−１２５、およびＨＦＯ−１２３４ｚｅの六元組成物；または
−  ＨＦＯ−１１２３、ＣＯ２、ＨＦＣ−１３４ａ、ＨＦＣ−３２、ＨＦＣ−１２５、ＨＦＯ−１２３４ｙｆ、およびＨＦＯ−１２３４ｚｅの七元組成物
である。
【０１０４】
一部の実施形態では、熱伝達流体は、以下の表に示される重量範囲で存在する熱伝達化合物から本質的になる（または、まさにそれらからなる）：
2021525823.tif 000002
表A-  HFO-1123およびCO2から本質的になる(またはまさにそれらからなる)組成物
2021525823.tif 000003
2021525823.tif 000004
2021525823.tif 000005
表B-  HFO-1123、CO2、およびHFC-125から本質的になる(またはまさにそれらからなる)組成物
2021525823.tif 000006
2021525823.tif 000007
2021525823.tif 000008
表C-  HFO-1123、CO2、およびHFC-134aから本質的になる(またはまさにそれらからなる)組成物
2021525823.tif 000009
2021525823.tif 000010
2021525823.tif 000011
表D-  HFO-1123、CO2、およびHFC-32から本質的になる(またはまさにそれらからなる)組成物
2021525823.tif 000012
2021525823.tif 000013
表E-  HFO-1123、CO2、HFC-125、およびHFC-134aから本質的になる(またはまさにそれらからなる)組成物
2021525823.tif 000014
2021525823.tif 000015
表F-  HFO-1123、CO2、HFC-125、およびHFC-32から本質的になる(またはまさにそれらからになる)組成物
2021525823.tif 000016
2021525823.tif 000017
表G-  HFO-1123、CO2、HFC-32、およびHFC-134aから本質的になる(またはまさにそれらからなる)組成物
2021525823.tif 000018
2021525823.tif 000019
2021525823.tif 000020
2021525823.tif 000021
表H-  HFO-1123、CO2、HFC-125、HFC-32、およびHFC-134aから本質的になる(またはまさにそれらからなる)組成物
【０１０５】
一部の実施形態では、ＣＯ２は、熱伝達流体の少なくとも１５重量％、または少なくとも２０重量％、または少なくとも２５重量％、または少なくとも３０重量％、または少なくとも３５重量％、または少なくとも４０重量％であり；またはＣＯ２およびＨＦＣ−１３４ａは一緒になって、熱伝達流体の少なくとも１５重量％、または少なくとも２０重量％、または少なくとも２５重量％、または少なくとも３０重量％、または少なくとも３５重量％、または少なくとも４０重量％であり；またはＣＯ２およびＨＦＣ−１２５は一緒になって、熱伝達流体の少なくとも１５重量％、または少なくとも２０重量％、または少なくとも２５重量％、または少なくとも３０重量％、または少なくとも３５重量％、または少なくとも４０重量％であり；またはＣＯ２、ＨＦＣ−１２５、およびＨＦＣ−１３４ａは一緒になって、熱伝達流体の少なくとも１５重量％、または少なくとも２０重量％、または少なくとも２５重量％、または少なくとも３０重量％、または少なくとも３５重量％、または少なくとも４０重量％である。ＣＯ２、ＨＦＣ−１２５、およびＨＦＣ−１３４ａが不燃性化合物であるなら、これらの実施形態は、熱伝達流体それ自体が不燃性であるので好ましい。
【０１０６】
流体の「不燃性」の性質は、１００℃ではなく試験温度６０℃の、規格ＡＳＨＲＡＥ  ３４−２００７の意味の範囲内で評価される。
【０１０７】
一部の実施形態では、熱伝達流体は、１１００以下；または１０００以下；または９００以下；または８００以下；または７００以下；または６００以下；または５００以下；または４００以下；または３００以下；または２００以下；または１５０以下；または１００以下；または５０以下のＧＷＰを有する。
【０１０８】
Ｒ−４１０Ａの最適な置換を可能にするために、本発明の熱伝達流体は、下記の基準：
−  熱伝達流体により得られる容積容量は、Ｒ−４１０Ａの場合にほぼ等しくまたはそれよりも大きく、特にＲ−４１０Ａの場合の少なくとも９０％、または少なくとも９５％、または少なくとも１００％であり；
−  熱伝達流体により得られる成績係数は、Ｒ−４１０Ａの場合にほぼ等しくまたはそれよりも大きく、特にＲ−４１０Ａの場合の少なくとも９０％、または少なくとも９５％、または少なくとも１００％であり；
−  熱伝達流体が不燃性であり；
−  熱伝達流体が低ＧＷＰを有し；
−  熱伝達流体により得られる圧縮器出口での圧力が、Ｒ−４１０Ａにより得られる場合と比較して高過ぎず、特に、Ｒ−４１０Ａで得られる場合の１．７倍以下であり、またはＲ−４１０Ａで得られる場合の１．６倍以下であり、またはＲ−４１０Ａで得られる場合の１．５倍以下であり、またはＲ−４１０Ａで得られる場合の１．４倍以下であり、またはＲ−４１０Ａで得られる場合の１．３倍以下であり、またはＲ−４１０Ａで得られる場合の１．２倍以下であり、またはＲ−４１０Ａで得られる場合の１．１倍以下であり；
−  熱伝達流体により得られるエバポレーターでの温度勾配は、中程度であり、特に１０℃以下、または８℃以下、または６℃以下、または５℃以下、または４℃以下、または３℃以下、または２℃以下、または１℃以下であること
のいくつか（好ましくは、全て）を満たすことが望ましい。
【０１０９】
下記の化合物：
−  ＨＦＯ−１１２３が４０から７０％、ＣＯ２が５から３０％、およびＨＦＣ−１２５が５から３０％（重量で）；
−  ＨＦＯ−１１２３が５５から７０％、ＣＯ２が５から３０％、およびＨＦＣ−１３４ａが５から３５％（重量で）；
−  ＨＦＯ−１１２３が５から７０％、ＣＯ２が５から３５％、ＨＦＣ−３２が５から６０％（重量で）；
−  ＨＦＯ−１１２３が５から５５％、ＣＯ２が５から３５％、ＨＦＣ−１２５が５から２５％、およびＨＦＣ−３２が５から６０％（重量で）；
−  ＨＦＯ−１１２３が５から６５％、ＣＯ２が５から３０％、ＨＦＣ−１２５が５から３０％、ＨＦＣ−１３４ａが５から１０％、およびＨＦＣ−３２が５から６５％（重量で）
から本質的になる（またはそれらからなる）組成物は、例えば、中温冷却または中温加熱プロセスにおいて、特にＲ−４１０Ａの置換に関して良好な一連の性質を提供する。
【実施例】
【０１１０】
以下に続く実施例は、本発明について、それを限定することなく例示する。
【０１１１】
実施例１
考えられる様々な構成での熱伝達流体の性質を計算する方法
ＲＫ−Ｓｏａｖｅ方程式は、混合物の密度、エンタルピー、エントロピー、および液体蒸気平衡データの計算に使用される。この方程式の使用は、問題となっている混合物で使用される純物質の性質および各二成分ごとの相互作用係数の知識を必要とする。
【０１１２】
各純物質ごとに入手可能なデータは：沸点、臨界温度および臨界圧力、沸点から出発して臨界点までの温度の関数としての圧力の曲線、温度の関数としての飽和液体および飽和蒸気の密度である。
【０１１３】
ヒドロフルオロカーボンに関するデータは、ＡＳＨＲＡＥハンドブック  ２００５  第２０章に公開されており、Ｒｅｆｒｏｐ（冷媒の性質の計算のためにＮＩＳＴにより開発されたソフトウェア）の下でも入手可能である。
【０１１４】
ヒドロフルオロオレフィンに関する温度−圧力曲線のデータは、静的方法により測定される。臨界温度および臨界圧力は、Ｓｅｔａｒａｍにより販売されるＣ８０熱量計を使用して測定される。
【０１１５】
ＲＫ−Ｓｏａｖｅ方程式は、混合物としての生成物の挙動を表すのに、二元相互作用係数を使用する。係数は、実験液体蒸気平衡データにより計算される。
【０１１６】
液体蒸気平衡測定に使用される技法は、分析静止セル法である。平衡セルは、サファイア管を含み、２つのＲＯＬＳＩ（商標）電磁サンプラーを備える。これをクリオサーモスタット浴（Ｈｕｂｅｒ  ＨＳ４０）に浸漬する。可変速度で回転する回転磁場撹拌子を使用して、平衡へ到達を加速させる。試料の分析を、カサロメーター（ＴＣＤ）を使用するガスクロマトグラフィー（ＨＰ５８９０シリーズＩＩ）によって実施する。
【０１１７】
液体−蒸気平衡測定を、下記の二元混合物：ＨＦＯ−１１２３／ＣＯ２；ＨＦＯ−１１２３／ＨＦＣ−３２；ＨＦＯ−１１２３／ＨＦＣ−１２５；ＨＦＯ−１１２３／ＨＦＣ−１３４ａに関して行った。
【０１１８】
実施例２
冷蔵性能レベル
下記では、実施例１のデータを使用して、空調プロセスにおける本発明による混合物の挙動をシミュレートする。
【０１１９】
考えられるシステムは、エバポレーターおよび向流コンデンサー、圧縮器および膨張弁を備えた圧縮システムである。
【０１２０】
システムを、５℃の過熱および５℃の亜冷却で動作させる。
【０１２１】
成績係数（ＣＯＰ）は、システムにより供給または消費される電力を上回る、システムによって供給される有用な電力であると定義される。
【０１２２】
５℃のエバポレーター内の冷媒の入口温度と、３５℃のコンデンサー内の冷媒の凝縮開始時の温度で、作用する。
【０１２３】
組成物の性能レベルを、以下の表に示す。
【０１２４】
これらの表において、「Ｔｓｖ  ｅｖａｐ．」はエバポレーター内の飽和蒸気温度を示し、「Ｔｏｕｔ  ｃｏｍｐ．」は圧縮器の出口での温度を示し、「Ｔｓｌ  ｃｏｎｄ．」はコンデンサー内の飽和液体温度を示し、「Ｔｓｖ  ｃｏｎｄ．」はコンデンサー内の飽和蒸気温度を示し、「Ｐｍｉｎ」はエバポレーター内の圧力を示し、「Ｐｍａｘ」はコンデンサー内の圧力を示し、「比」は圧縮比（即ち、上記２つの圧力の比）を示し、「ΔＴ  ｅｖａｐ．」はエバポレーター内の温度勾配を示し、「％  ＣＡＰ」は参照流体Ｒ−４１０に対する容積容量（単位  ％）を示し、かつ「％  ＣＯＰ」は、参照流体Ｒ−４１０Ａに対する成績係数（単位  ％）を示す。
2021525823.tif 000022
表1-  HFO-1123/CO2/HFC-125三元混合物
2021525823.tif 000023
表2-  HFO-1123/CO2/HFC-134a三元混合物
2021525823.tif 000024
表3-  HFO-1123/CO2/HFC-32三元混合物
2021525823.tif 000025
2021525823.tif 000026
表4-  HFO-1123/CO2/HFC-32/HFC-125四元混合物
2021525823.tif 000027
2021525823.tif 000028
2021525823.tif 000029
2021525823.tif 000030
表5-  HFO-1123/CO2/HFC-32/HFC-125/HFC-134a五元混合物
【国際調査報告】
2021525823.tif 000031
2021525823.tif 000032
2021525823.tif 000033
2021525823.tif 000034
2021525823.tif 000035